(57)【要約】【課題】現場作業を少なくできるとともに、輸送効率の向上を図れるようになる外壁パネル、その外壁パネルを備えたユニット式建物および外壁パネルへのシャッターケース取り付け方法を提供する。【解決手段】外壁パネル１０を構成する外壁本体１１と外壁仕上げ材１４との間に、下部が開口するとともに、外壁本体１１との間で凹部１７を形成し、内部が水の侵入を防止可能となった防水カバー１５を設け、この防水カバー１５の凹部１７内にシャッターケース２０の壁際上端部２１Ａを挿入してシャッターケース２０が取り付けられている。そのため、現場では、シャッターケースを取り付けるだけでよく、現場でシャッターケースを取り付け、防水テープ等を張った後、外壁仕上げ材を取り付けたりせずにすみ、従って、現場作業を少なくすることができる。【選択図】図３
2004011303.tif 000002
【特許請求の範囲】
【請求項１】
シャッター内蔵のシャッターケースが取り付けられた外壁パネルにおいて、
外壁本体とこの外壁本体に設けられる外壁仕上げ材とを備えて構成され、
予め、前記外壁本体と外壁仕上げ材との間に、下部が開口するとともに、前記外壁本体との間で凹部を形成し、内部が水の侵入を防止可能となった防水カバーが設けられ、
この防水カバーの前記凹部内に前記シャッターケースの壁際上端部を挿入して前記シャッターケースが取り付けられることを特徴とする外壁パネル。
【請求項２】
請求項ｌに記載の外壁パネルにおいて、
前記シャッターケースは、当該シャッターケースの前記壁際上端部の先端を前記凹部内に差し込んでから固定されることを特徴とする外壁パネル。
【請求項３】
請求項１または請求項２に記載の外壁パネルにおいて、
前記外壁本体には前記シャッターケースを引掛ける引掛け部材が設けられ、前記シャッターケースは、当該シャッターケースの壁際上端部の先端が前記凹部内に差し込まれかつ前記引掛け部材に引掛けられた状態で、固定具によって前記外壁本体に固定されることを特徴とする外壁パネル。
【請求項４】
請求項３に記載の外壁パネルにおいて、
前記固定具はビスであり、前記シャッターケースの壁際上端部は、前記シャッターケースの上面部から上方に突出して形成されるとともに、シャッターケースの上面と前記外壁仕上げ材の下端との間には所定寸法の隙間が形成され、前記ビスを前記隙間から差し込み、かつ、前記シャッターケースの壁際上端部を貫通させ、前記外壁本体に打ち付けて前記シャッターケースが固定されることを特徴とする外壁パネル。
【請求項５】
請求項３または請求項４に記載の外壁パネルにおいて、
前記引掛け部材には、前記シャッターケースの壁際上端部を前記凹部内に挿入させるとき、当該凹部に向かって押し上げるようにガイドする傾斜ガイド片が設けられていることを特徴とする外壁パネル。
【請求項６】
請求項１ないし請求項５のいずれかに記載の外壁パネルを備えて構成されていることを特徴とするユニット式建物。
【請求項７】
シャッター内蔵のシャッターケースを外壁パネルに取り付けるシャッターケース取り付け方法において、
前記外壁パネルが外壁本体と外壁仕上げ材とを備えて構成されるとともに、予め、前記外壁本体と外壁仕上げ材との間に、下部が開口するとともに、前記外壁本体との間で凹部を形成し、かつ、内部が水の侵入を防止可能となった防水カバーが設けられ、
前記外壁本体には前記シャッターケースを引掛けかつ前記凹部内に向いて傾斜する傾斜ガイド片を有する引掛け部材が設けられ、
現場において、前記シャッターケースを前記引掛け部材の前記傾斜ガイド片に沿わせて凹部に向かって押し上げるとともに、前記シャッターケースの壁際上端部を前記凹部内に挿入させかつ前記引掛け部材に引掛け、その後、固定具によって前記壁際上端部を前記外壁本体に固定することを特徴とする外壁パネルへのシャッターケース取り付け方法。
【発明の詳細な説明】
【０００１】
【発明の属する技術分野】
本発明は、シャッター内蔵のシャッターケースが取り付けられた外壁パネル、その外壁パネルを備えたユニット式建物および外壁パネルへのシャッターケース取り付け方法に関する。
【０００２】
【背景技術】
近年、住宅等の建物において、窓開口部に雨戸の代わりにシャッターケースを付設し、このシャッターケースからシャッターを引き出して窓を覆うようにした例が増えている（特開平１０−３１７８４５号公報）。
このようなシャッターケースを建物へ取り付けるには、従来、図１１に示すように、通常、現場において行われている。
すなわち、シャッターケース４０は、建物の外壁を構成する複数枚の外壁パネル１０に取り付けられ、これらの外壁パネル１０は、外壁本体であるパネル枠体１１と、このパネル枠体１１に取り付けられる外壁仕上げ部材である防火サイディング１４とを含み構成され、パネル枠体１１の表面には防水シート５８が張られている。シャッターケース４０の取り付けは、防水シート５８の上から取付部材５０を介して行われている。
【０００３】
この取付部材５０の上下には、ほぼＬ字状に形成され、かつ、上向きとなって、上フック５３と下フック５４とがそれぞれ設けられている。
これに対して、シャッターケース４０の壁側には、シャッターケース４０の上面から上方に突出する突出片４１Ａが設けられており、また、背板部４１には、上フック５３と下フック５４とにそれぞれ係止可能な係止穴４１Ｂ，４１Ｃがあけられている。シャッターケース４０の取り付けに際しては、シャッターケース４０を上から落し込み、係止穴４１Ｂ，４１Ｃを上フック５３と下フック５４とに係合させた後、シャッターケース４０の突出片４１Ａを外壁パネル１０に押し当て、固定ビス１６により外壁パネル１０に固定している。なお、シャッターケース４０内には、シャッター２６が設けられ、下部にはレール２８が設けられている。
また、上部からの水の侵入を防止するために、突出片４１Ａの表面に防水テープ５８Ａ等を張って防水処理を施すとともに、その防水テープ５８Ａ等が隠れるように、防火サイディング１４等の外壁仕上げ材を取り付け、さらに、防火サイディング１４とシャッターケース４０上面との間にシーリング材４５を詰め込んでいる。
【０００４】
一方、工期の短縮、部材の均一化、現場作業の軽減化を図る等の目的で建てられる工業化建物が普及している。この工業化建物では、シャッターケースを予め工場で取り付けようとする試みが行われ、また、防火サイディング等の外壁仕上げ材も予め工場で取り付けられるようになっている。その結果、シャッターケース付き外壁パネルが工場で生産されている。そして、これらのシャッターケース付き外壁パネルがトラック等で工場から建築現場に輸送され、他の各種のパネルとが現場で組み合わせられて、工業化建物としてのユニット式建物が建てられている。
【０００５】
【発明が解決しようとする課題】
しかし、現場でシャッターケースを外壁パネルに取り付ける方法では、現場において、まず、シャッターケースをパネル枠体に取り付け、次いで、シャッターケースの突出片に防水テープ等を張り付け、その後、防火サイディング等の外壁仕上げ材を取り付け、さらに、シーリング材等を詰め込んでいるため、現場での作業が多くなるという問題が生じている。
また、シャッターケースと、防火サイディング等の外壁仕上げ材とを予め工場で取り付けておいて、その状態で現場に輸送する場合、シャッターケースは、内部にシャッターやモータ等が設けられていることから奥行き寸法がかなりあり、外壁表面からの突出量が大きくなっている。そのため、例えば、シャッターケース付きの外壁パネルを他のパネルと同じトラックで輸送しようとすると、シャッターケースが邪魔となって一度に多くを積み込めず、輸送効率が悪いという問題が生じている。
【０００６】
本発明の目的は、現場作業を少なくできるとともに、輸送効率の向上を図れるようになる外壁パネル、その外壁パネルを備えたユニット式建物および外壁パネルへのシャッターケース取り付け方法を提供することにある。
【０００７】
【課題を解決するための手段】
請求項１に記載の発明は、図面を参照して説明すると、図３に示すように、シャッター内蔵のシャッターケース２０が取り付けられた外壁パネル１０において、外壁本体１１とこの外壁本体１１に設けられる外壁仕上げ材１４とを備えて構成され、予め、前記外壁本体１１と外壁仕上げ材１４との間に、下部が開口するとともに、前記外壁本体１１との間で凹部１７を形成し、内部が水の侵入を防止可能となった防水カバー１５が設けられ、この防水カバー１５の前記凹部１７内に前記シャッターケース２０の壁際上端部２１Ａを挿入して前記シャッターケース２０が取り付けられることを特徴とする外壁パネル１０である。
【０００８】
このような本発明によれば、外壁パネルが、予め外壁本体に外壁仕上げ材を取り付けて構成されており、また、外壁本体と外壁仕上げ材との間に防水カバーが設けられているので、現場でシャッターケースを取り付け、防水テープ等を張った後、外壁仕上げ材を取り付けたりせずにすみ、現場では、シャッターケースを取り付けるだけでよく、従って、現場作業を少なくすることができる。
また、シャッターケースの取り付けを建築現場で行うことができるので、シャッターケースと外壁パネルとを別個に輸送することができる。従って、外壁パネルを大きな出っ張りのない状態で輸送することができるので、輸送効率の向上を図れる。
【０００９】
請求項２に記載の発明は、図３に示すように、請求項ｌに記載の外壁パネルにおいて、前記シャッターケース２０は、当該シャッターケース２０の壁際上端部２１Ａの先端を前記凹部１７内に差し込んでから固定されることを特徴とするものである。
このような本発明によれば、シャッターケースがその壁際上端部の先端を防水カバーの凹部内に差し込んでから固定されるので、外壁の上部からの水がシャッターケース内に浸入することを防止することができる。
【００１０】
請求項３に記載の発明は、図３に示すように、請求項１または請求項２に記載の外壁パネルにおいて、前記外壁本体１１には前記シャッターケース２０を引掛ける引掛け部材３０が設けられ、前記シャッターケース２０は、当該シャッターケース２０の壁際上端部２１Ａの先端が前記凹部１７内に差し込まれかつ前記引掛け部材３０に引掛けられた状態で、固定具２５によって前記外壁本体１１に固定されていることを特徴とするものである。
このような本発明によれば、シャッターケースが固定具によって外壁本体に固定されているので、シャッターケースに下方からの力が加わっても、引掛け部材から抜けることがない。
【００１１】
請求項４に記載の発明は、図３に示すように、請求項３に記載の外壁パネルにおいて、前記固定具はビス２５であり、前記シャッターケース２０の壁際上端部２１Ａは、前記シャッターケース２０の上面から上方に突出して形成されるとともに、シャッターケース２０の上面部２２と前記外壁仕上げ材１４の下端との間には所定寸法の隙間Ｓが形成され、前記ビス２５を前記隙間Ｓから差し込み、かつ、前記シャッターケース２０の壁際上端部２１Ａを貫通させ、前記外壁本体１１に打ち付けて前記シャッターケース２０が固定されることを特徴とするものである。
【００１２】
このような本発明によれば、シャッターケースの上面と外壁仕上げ材１４の下端との間の隙間からビスを差し込めるので、外壁の外側からの固定が可能となり、シャッターケースの取り付け作業が容易である。
【００１３】
請求項５に記載の発明は、図７に示すように、請求項３または請求項４に記載の外壁パネルにおいて、前記引掛け部材３０には、前記シャッターケース２０の壁際上端部２１Ａを前記凹部１７内に挿入するとき、当該凹部１７に向かって押し上げるようにガイドする傾斜ガイド片３３Ｂが設けられていることを特徴とするものである。
このような本発明によれば、シャッターケースは、シャッターやモータ等を内蔵しており、また、窓を覆う幅に形成されていることから、大きくて重量も重く、取扱いも大変であるが、ガイド片にガイドさせて押し上げることで凹部にシャッターケースの壁際上端部を差し込めるようになっているので、取り付け作業が容易となる。
【００１４】
請求項６に記載の発明は、図１に示すように、請求項１ないし請求項５のいずれかに記載の外壁パネルを備えて構成されていることを特徴とするユニット式建物１である。
このような本発明によれば、防水カバーを備えた外壁パネルにシャッターケースを現場で取り付けることができる。防水カバーは、内部への水の侵入を防止できるので、現場で防水テープ等を張ったり、外壁仕上げ材を設けたりせずにすみ、現場作業を少なくすることができる。
また、シャッターケースと外壁パネルとを別個に輸送することができるので、外壁パネルを大きな出っ張りのない状態で輸送することができ、これにより、輸送効率の向上を図ることができる。
【００１５】
請求項７に記載の発明は、図３，６〜１０に示すように、シャッター内蔵のシャッターケースを外壁パネルに取り付けるシャッターケース取り付け方法において、前記外壁パネル１０が外壁本体１１と外壁仕上げ材１４とを備えて構成されるとともに、予め、前記外壁本体１１と外壁仕上げ材１４との間に、下部が開口するとともに、前記外壁本体１１との間で凹部１７を形成し、かつ、内部が水の侵入を防止可能となった防水カバー１５が設けられ、前記外壁本体１１には前記シャッターケース２０を引掛けかつ前記凹部１７内に向いて傾斜する傾斜ガイド片３３Ｂを有する引掛け部材３０が設けられ、現場において、前記シャッターケース２０を前記引掛け部材３０の前記傾斜ガイド片３３Ｂに沿わせて凹部１７に向かって押し上げるとともに、前記シャッターケース２０の壁際上端部２１Ａを前記凹部１７内に挿入させかつ前記引掛け部材３０に引掛け、その後、固定具２５によって前記壁際上端部２１Ａを前記外壁本体１１に固定することを特徴とする外壁パネルへのシャッターケース取り付け方法である。
【００１６】
このような本発明によれば、外壁パネルに防水カバーが予め設けられており、現場で、シャッターケースを引掛け部材のガイド片に沿わせて凹部に向かって押し上げるとともに、シャッターケースの壁際上端部を凹部内に挿入させて固定するだけで取り付けることができ、現場で防水テープ等を張った後、外壁仕上げ材を取り付けたりせずにすむ。現場では、シャッターケースを取り付けるだけでシャッターケース付きの外壁パネルを構成でき、これにより、現場作業を少なくすることができる。
また、シャッターケースの取り付けを建築現場で行うことができるので、シャッターケースと外壁パネルとを別個に輸送することができる。従って、外壁パネルを大きな出っ張りのない状態で輸送することができるので、輸送効率の向上を図れる。
【００１７】
【発明の実施の形態】
以下に、本発明の一実施形態を図面に基づいて説明する。
図１には、本実施形態のユニット式建物１が示されている。この建物１は、予め工場で生産された床パネル、天井パネル、外壁パネル１０、間仕切パネル、階段ユニット、および屋根パネル等を、建築現場に輸送するとともに、その現場で組立てることにより建てられるパネル工法の建物である。そして建物１は、基礎２の上に設けられる建物本体３と、この建物本体３の上方に設けられる屋根６とを備えて構成され、建物本体３は、１階部４と２階部５とで構成されている。
【００１８】
１階部４および２階部５の外壁７の所定位置には窓部８が設けられ、これらの窓部８は、シャッターケース２０に内蔵されたシャッターにより覆われるようになっている。また、外壁７は複数の外壁パネル１０を含んで構成されている。
シャッターケース２０は、建築現場において、図２に示すように、外壁パネル１０に取り付けられるようになっており、いわゆる後付タイプである。そして、このシャッターケース２０は、引掛け部材である取り付け金具３０を介して外壁パネル１０に取り付けられている。
【００１９】
外壁パネル１０は、図３に詳細を示すように、外壁本体としての枠体１１と、この枠体１１の室内側に張られた室内側面材１２および枠体１１の室外側に張られた室外側面材１３と、室外側面材１３の外側に設けられる外壁仕上げ材としての防火サイディング１４とを備えて形成されている。また、室外側面材１３と防火サイディング１４との隙間には、防水カバーである水切部材１５が固定具としての固定ビス２５により取り付けられている。
【００２０】
水切部材１５は、例えば薄板鉄板を断面略クランク状に折り曲げて形成されており、外壁パネル１０に取り付けられたとき、下方が開口し、水切部材１５の一辺と外壁パネル１０との間に凹部１７が形成されるようになっている。また、水切部材１５の凹部１７に臨む内側には、スポンジ等の防水シール１９が設けられている。この防水シール１９は、後で述べる突出片２１Ａが凹部１７内に差し込まれたとき、突出片２１Ａの外側面との間で挟まれ、これにより、凹部１７内への水の侵入が確実に防止されるようになっている。さらに、水切部材１５の上部には防水シート１８が張られている。これらの水切部材１５、防水シート１８および防火サイディング１４は、予め工場で前記枠体１１に取り付けられている。なお、枠体１１の室外側面材１３の表面にも、図示しないが防水シートが張られている。
【００２１】
シャッターケース２０は、図４にも示すように、外壁パネル１０の室外側面材１３と当接する背板部２１および上面部２２を有し、ボックス状に形成されている。背板部２１と上面部２２の交差する角部には、例えばアングル材からなる補強部材２３が設けられ、また、上面部２２の外側端部の内部にも、上記と同様の補強部材２４（図３参照）が設けられている。
【００２２】
シャッターケース２０の壁際には、上面部２２から上方に所定寸法突出した壁際上端部としての突出片２１Ａが設けられ、この突出片２１Ａは、シャッターケース２０を取り付け金具３０に係止させた後、固定ビス２５によって外壁パネル１０に固定されるようになっている。また、背板部２１の上部および下部には、それぞれ、上係合穴２１Ｂ、下係合穴２１Ｃがあけられている。このうち、上係合穴２１Ｂの上縁と、前記補強部材２３の下端とは同じ高さとなっている。
また、各係合穴２１Ｂ，２１Ｃは、後で述べる上フック３３、下フック３４を挿通可能な幅を有する角穴となっている。
【００２３】
以上のようなシャッターケース２０の内部には、シャッター２６と、このシャッター２６を上下動駆動するモータ２７とが設けられ、シャッターケース２０の下部側面には、シャッター２６を案内するレール２８が設けられている。
また、シャッターケース２０を取り付けたとき、シャッターケース２０の上面２２と防火サイディング１４の下端との間には、所定間隔の隙間Ｓが形成されている。
【００２４】
前記取り付け金具３０は、図５に詳細を示すように、例えば所定厚さの鉄板で形成されており、細長形状のプレート部３１と、このプレート部３１に設けられた係止部３２とで形成され、この係止部３２は、プレート部３１の上部に形成された上フック３３、およびプレート部３１の下部に形成された下フック３４を有して形成されている。
上フック３３および下フック３４とも、プレート部３１の一部を切り起こし形成され、ほぼＬ字形状となっており、それぞれが、外側に突出する第１傾斜片３３Ａ，３４Ａと、第２傾斜片３３Ｂ，３４Ｂとを有している。
【００２５】
上フック３３の第１傾斜片３３Ａは、プレート部３１の表面から外側かつ所定角度で斜め上方に延びて形成され、傾斜ガイド片としての第２傾斜片３３Ｂは、第１傾斜片３３Ａの上端から外側かつ所定角度で斜め下方に延びて形成され、第２傾斜片３３Ｂの先端には、当該第２傾斜片３３Ｂとほぼ直交し、かつ、外側斜め上方に延びる引掛け片３３Ｃが形成されている。なお、引掛け片３３Ｃは、上記第１傾斜片３３Ａとほぼ平行になっている。また、第２傾斜片３３Ｂは、水平に対してα１°の角度（図３参照）となっている。
第２傾斜片３３Ｂは、前記凹部１７側に向かって傾斜しており、第２傾斜片３３Ｂの角度α１°は、シャッターケース２０を第２傾斜片３３Ｂに沿わせて押し上げるとき、シャッターケース２０の突出片２１Ａを凹部１７内に容易に差し込めるような角度に形成されている。
【００２６】
下フック３４の第１傾斜片３４Ａは、プレート部３１の表面から外側かつ所定角度で斜め上方に延びて形成され、第２傾斜片３４Ｂは、第１傾斜片３４Ａの上端から外側かつ所定角度で斜め下方に延びて形成されている。なお、第２傾斜片３４Ｂは、水平に対してα２°の角度（図３参照）となっている。
【００２７】
この下フック３４の第２傾斜片３４Ｂの角度α２°は、前記上フック３３の第２傾斜片３３Ｂの角度α１°に対して、水平に対する角度が小さく形成されている（図３参照）。そして、第２傾斜片３４Ｂの角度α２°は、シャッターケース２０を上フック３３の第２傾斜片３３Ｂに沿わせて押し上げるとき、突出片２１Ａを凹部１７内に挿入した後、第２傾斜片３３Ｂの所定位置を支点として、シャッターケース２０の下部を回動させる際の半径に近い角度に形成されており、これにより、シャッターケース２０の第２傾斜片３４Ｂに沿った上下移動を極力抑えるようになっている。
また、上フック３３および下フック３４は、前記シャッターケース２０の背板部２１にあけられた上係合穴２１Ｂ、下係合穴２１Ｃ内に挿通可能となっている。
【００２８】
プレート部３１には、固定ビス用の取り付け穴３１Ａが複数あけられており、プレート部３１を枠体１１の室外側面材１３に当接させ、上記取り付け穴３１Ａから固定ビス３５をねじ込むことにより、枠体１１に取り付けて固定するようになっている。
また、以上のような取り付け金具３０は、勝手違いに形成されており、図４に示すように、シャッターケース２０の幅方向両側に配置され、そのシャッターケース２０を２箇所で支持できるようになっている。
【００２９】
次に、図６〜１０を参照して、シャッターケース２０の取り付け作業を説明する。
予め、外壁パネル１０の所定位置に取り付け金具３０を取り付けておき、まず、図６に示すように、シャッターケース２０を取り付け金具３０の前面に位置させるとともに、補強部材２３の一部で補強された背板部２１の上係合穴２１Ｂを、上フック３３の引掛け片３３Ｃに引掛けて載せる。
【００３０】
その後、図７に示すように、シャッターケース２０の突出片２１Ａの先端が水切部材１５と外壁パネル１０とで形成される凹部１７内に嵌り込むように、シャッターケース２０の上係合穴２１Ｂを上フック３３の第２傾斜片３３Ｂに沿わせて斜め上方に押し上げて移動させる。
【００３１】
突出片２１Ａの先端が凹部１７内に入り込んだら、図８に示すように、シャッターケース２０の下部を、シャッターケース２０の上係合穴２１Ｂを支点として外壁パネル１０側に向けて回動させ、下係合穴２１Ｃが下フック３４の第２傾斜片３４Ｂに挿入するようにする。このシャッターケース２０の回動の際、上係合穴２１Ｂと上フック３３の第２傾斜片３３Ｂとの支点位置は、刻々と変化している。
【００３２】
下係合穴２１Ｃと下フック３４の第２傾斜片３４Ｂとが係合した状態で、図９に示すように、シャッターケース２０を、下係合穴２１Ｃを下フック３４の第２傾斜片３４Ｂに沿わせて斜め上方に移動させる。さらに押し上げると図１０に示すように、シャッターケース２０の下係合穴２１Ｃが下フック３４の第２傾斜片３４Ｂの頂部を越え、越えた後は、シャッターケース２０が上フック３３と下フック３４の、それぞれの第１傾斜片３３Ａ，３４Ａに沿って外壁パネル１０に向かって斜め下方に下ろされ、上係合穴２１Ｂと補強部材２３の下端と、上フック３３の第１傾斜片３３Ａとが係合し合って位置決めされる。その後、図３に示すように、固定ビス２５で背板部２１を枠体１１に固定してシャッターケース２０の取り付けが終了したら、シャッターケース２０の上面２２と防火サイディング１４の下端との間の隙間Ｓに、図１１の従来例と同様にコーキング材が埋め込まれるようになっている（コーキング材の図示は省略）。
【００３３】
このような実施形態によれば、次のような効果がある。
（１）外壁パネル１０が、予め枠体１１に防火サイディング１４を取り付けて構成されており、また、枠体１１と防火サイディング１４との間に水切部材１５が設けられているので、現場でシャッターケースを取り付け、防水テープ等を張った後、外壁仕上げ材を取り付けたりせずにすみ、現場では、シャッターケースを取り付けるだけでよく、従って、現場作業を少なくすることができる。
【００３４】
（２）シャッターケース２０の取り付けを建築現場で行うことができるので、シャッターケース２０と外壁パネル１０とを別個に輸送することができる。従って、外壁パネル１０を大きな出っ張りのない状態で輸送することができるので、輸送効率の向上を図れる。
（３）シャッターケース２０が突出片２１Ａの先端を水切部材１５の凹部１７内に差し込まれて固定されるので、外壁７の上部からの水がシャッターケース２０内に浸入することを防止することができ、容易にシャッターケース２０の防水施行を行える。
【００３５】
（４）シャッターケース２０が固定ビス２５によって枠体１１に固定されているので、シャッターケース２０に下方からの力が加わっても、そのシャッターケース２０が取り付け金具３０から抜けることがなく、安全である。
（５）シャッターケース２０の取り付け時に、シャッターケース２０の上面部２２と防火サイディング１４の下端との間の隙間Ｓから固定ビス２５を差し込んで、枠体１１に固定することができるので、外壁７の外側からの固定が可能となり、シャッターケース２０の取り付け作業が容易である。
【００３６】
（６）シャッターケース２０は、シャッター２６やモータ２７等を内蔵しており、また、窓を覆う幅に形成されていることから、大きくて重量も重く、取扱いも大変であるが、上フック３３の第２傾斜片３３Ｂにガイドさせて押し上げることで、凹部１７にシャッターケース２０の突出片２１Ａを差し込めるようになっているので、取り付け作業が容易となる。
（７）取り付け金具３０は、一枚の部材から上フック３３および下フック３４を打ち抜き成形で形成することができるので、複数の部材を組み立てて形成する場合と比べて製作が容易である。
【００３７】
（８）シャッターケース２０の取り付けに際して、取り付け位置に運んだシャッターケース２０を、まず引掛け片３３Ｃに引掛けて仮置きできるので、重いシャッターケース２０を運んできて一休みしてから取り付け作業にかかることができ、慎重に作業を進めることができる。
（９）取り付け金具３０の上フック３３は引掛け片３３Ｃを有しており、シャッターケース２０の取り付け時に、シャッターケース２０を第２傾斜片３３Ｂにガイドさせて押し上げる作業中、何らかの理由により滑り落ちたとしても、引掛け片３３Ｃで止められ、それ以上落下しないので、取り付け作業の安全性の向上を図ることができる。
【００３８】
（１０）上フック３３の第２傾斜片３３Ｂは、凹部１７側に向かって角度α１°で傾斜しており、この角度α１°は、シャッターケース２０を第２傾斜片３３Ｂに沿わせて押し上げるとき、シャッターケース２０の突出片２１Ａを凹部１７内に容易に差し込めるような角度に形成されているので、シャッターケース２０を第２傾斜片３３Ｂに沿わせて押し上げるだけで、突出片２１Ａを凹部１７内に差し込むことができ、これにより、取り付け作業が容易である。
【００３９】
（１１）水切部材１５の凹部１７に臨む内側には、スポンジ等の防水シール１９が設けられており、この防水シール１９は、シャッターケース２０の突出片２１Ａが凹部１７内に差し込まれたとき、突出片２１Ａの外側面との間で挟まれるようになっているので、凹部１７内への水の侵入が確実に防止される。
（１２）ユニット式建物１は、前述のように、現場でシャッターケース２０を容易に取り付けることができる外壁パネル１０を備えて構成されており、この外壁パネル１０は、水切部材１５を備えているので、現場で防水テープ等を張ったり、外壁仕上げ材を設けたりせずにすみ、現場では、外壁パネル１０を他のパネル等と組み立てた後、外壁パネル１０にシャッターケース２０を取り付けるだけでよく、従って、現場作業を少なくすることができる。
【００４０】
なお、本発明は前記実施形態に限定されるものではなく、本発明の目的を達成できるものであれば、次のような変形形態でもよいものである。
例えば、前記実施形態では、取り付け金具３０をシャッターケース２０の幅方向両側に配置し、２箇所で支持するように形成したが、これに限らず、例えば１間以上の幅の窓部を覆うようなシャッターケースを取り付けるような場合、左右とその中間の３箇所に設けてもよい。
【００４１】
また、前記実施形態では、取り付け金具３０に上フック３３と下フック３４とが設けられ、上フック３３に第１傾斜片３３Ａ、第２傾斜片３３Ｂおよび引掛け片３３Ｃ、下フック３４に第１傾斜片３４Ａ、第２傾斜片３４Ｂがそれぞれ形成されているが、これに限らず、下フック３４の第２傾斜片３４Ｂは、必ずしも設けなくてもよい。要は、シャッターケース２０を上フック３３の第２傾斜片３３Ｂに沿わせて押し上げるとき、突出片２１Ａを凹部１７内に挿入した後、第２傾斜片３３Ｂの所定位置を支点として、シャッターケース２０の下部を回動させる際にシャッターケース２０の上下移動を極力抑えることができればよい。
【００４２】
【発明の効果】
以上に説明したように、請求項１の発明によれば、外壁パネルが、予め外壁本体に外壁仕上げ材を取り付けて構成されており、また、外壁本体と外壁仕上げ材との間に防水カバーが設けられているので、現場でシャッターケースを取り付け、防水テープ等を張った後、外壁仕上げ材を取り付けたりせずにすみ、現場では、シャッターケースを取り付けるだけでよく、従って、現場作業を少なくすることができる。
また、シャッターケースの取り付けを建築現場で行うことができるので、シャッターケースと外壁パネルとを別個に輸送することができる。従って、外壁パネルを大きな出っ張りのない状態で輸送することができるので、輸送効率の向上を図れる。
【００４３】
請求項２の発明によれば、シャッターケースがその壁際上端部の先端を防水カバーの凹部内に差し込んでから固定されるので、外壁の上部からの水がシャッターケース内に浸入することを防止することができる。
【００４４】
請求項３の発明によれば、シャッターケースが固定具によって外壁本体に固定されているので、シャッターケースに下方からの力が加わっても、引掛け部材から抜けることがない。
【００４５】
請求項４の発明によれば、シャッターケースの上面と外壁仕上げ材１４の下端との間の隙間からビスを差し込めるので、外壁の外側からの固定が可能となり、シャッターケースの取り付け作業が容易である。
【００４６】
請求項５の発明によれば、シャッターケースは、シャッターやモータ等を内蔵しており、また、窓を覆う幅に形成されていることから、大きくて重量も重く、取扱いも大変であるが、ガイド片にガイドさせて押し上げることで凹部にシャッターケースの壁際上端部を差し込めるようになっているので、取り付け作業が容易となる。
【００４７】
請求項６の発明によれば、ユニット式建物が、現場でシャッターケースを容易に取り付けることができる外壁パネルを備えて構成されており、この外壁パネルは、水切部材を備えているので、現場で防水テープ等を張ったり、外壁仕上げ材を設けたりせずにすみ、現場では、外壁パネルを他のパネル等と組み立てた後、外壁パネルにシャッターケースを取り付けるだけでよく、従って、現場作業を少なくすることができる。
また、シャッターケースと外壁パネルとを別個に輸送することができるので、外壁パネルを大きな出っ張りのない状態で輸送することができ、これにより、輸送効率の向上を図ることができる。
【００４８】
請求項７の発明によれば、外壁パネルに防水カバーが予め設けられており、現場で、シャッターケースを引掛け部材のガイド片に沿わせて凹部に向かって押し上げるとともに、シャッターケースの壁際上端部を凹部内に挿入させて固定するだけで取り付けることができ、現場で防水テープ等を張った後、外壁仕上げ材を取り付けたりせずにすむ。現場では、シャッターケースを取り付けるだけでシャッターケース付きの外壁パネルを構成でき、これにより、現場作業を少なくすることができる。
また、シャッターケースの取り付けを建築現場で行うことができるので、シャッターケースと外壁パネルとを別個に輸送することができる。従って、外壁パネルを大きな出っ張りのない状態で輸送することができるので、輸送効率の向上を図れる。
【００４９】
【図面の簡単な説明】
【図１】本発明に係るユニット式建物の実施形態を示す全体斜視図である。
【図２】前記実施形態のユニット式建物を構成する外壁パネルを示す斜視図である。
【図３】前記実施形態のシャッターケースの取付構造を示す縦断面図である。
【図４】図３におけるＩＶ矢視図である。
【図５】前記実施形態の取り付け金具の詳細を示す全体斜視図である。
【図６】前記実施形態のシャッターケースの取り付け手順を示す縦断面図である。
【図７】前記実施形態のシャッターケースの取り付け手順を示し、図５の状態から少し進んだ状態を示す縦断面図である。
【図８】前記実施形態のシャッターケースの取り付け手順を示し、図６の状態から少し進んだ状態を示す縦断面図である。
【図９】前記実施形態のシャッターケースの取り付け手順を示し、図７の状態から少し進んだ状態を示す縦断面図である。
【図１０】前記実施形態のシャッターケースの取り付け手順を示し、図８の状態から少し進んだ状態を示す縦断面図である。
【図１１】従来のシャッターケース取り付け構造を示す縦断面図である。
【符号の説明】
１　　建物
１０　　外壁を構成する外壁パネル
１１　　外壁本体としての枠体
１４　　外壁仕上げ材としての防火サイディング
１５　　排水カバーである水切り部材
１７　　凹部
２０　　シャッターケース
２１Ａ　突出片
３０　　引掛け部材である取り付け金具
３３　　上フック
３３Ｂ　傾斜ガイド片としての第２傾斜片
３４　　下フック
【図１】
2004011303.tif 000003
【図２】
2004011303.tif 000004
【図３】
2004011303.tif 000005
【図４】
2004011303.tif 000006
【図５】
2004011303.tif 000007
【図６】
2004011303.tif 000008
【図７】
2004011303.tif 000009
【図８】
2004011303.tif 000010
【図９】
2004011303.tif 000011
【図１０】
2004011303.tif 000012
【図１１】
2004011303.tif 000013